【手続補正書】
【提出日】平成23年12月27日(2011.12.27)
【手続補正１】
【補正対象書類名】特許請求の範囲
【補正対象項目名】全文
【補正方法】変更
【補正の内容】
【特許請求の範囲】
【請求項１】
被写体を撮像する撮像手段と、
画像を表示する表示手段と、
ゲームの内容を表すゲーム画像のゲーム画像データを生成するゲーム画像生成手段と、
前記撮像手段によって得られる画像に基づいて、前記ゲーム画像の背景となる背景画像の背景画像データを生成する背景画像生成手段と、
前記撮像手段により得られる画像に基づいて、ゲームクリア時に前記表示手段に表示するクリア画像のクリア画像データを生成するクリア画像生成手段と、
前記背景画像データを更新する背景画像更新手段と、
ゲームの進行に伴って、前記表示手段に表示する得点を更新する得点更新手段と、
ゲーム実行中に、前記ゲーム画像データと、前記背景画像更新手段によって更新される前記背景画像データとに基づいて、最新の背景画像に前記ゲーム画像を重ねて前記表示手段に表示させるための第１表示制御手段と、
ゲームクリア時には、前記クリア画像データと前記得点に基づいて前記クリア画像に前記得点を重ねて前記表示手段に表示させるための第２表示制御手段とを備えるゲーム装置。
【請求項２】
被写体を撮像する撮像手段と、
画像を表示する表示手段と、
ゲームの内容を表すゲーム画像のゲーム画像データを生成するゲーム画像生成手段と、
前記撮像手段により得られる画像に基づいて、前記ゲーム画像の背景となる背景画像の背景画像データを生成する背景画像生成手段と、
前記背景画像データを更新する背景画像更新手段と、
ゲームの進行に伴って、前記表示手段に表示する得点を更新する得点更新手段と、
ゲーム実行中に、前記ゲーム画像データと、前記背景画像更新手段によって更新される前記背景画像データとに基づいて、最新の背景画像に前記ゲーム画像を重ねて前記表示手段に表示するための第１表示制御手段と、
前記得点更新手段により更新される得点が所定の条件を満たす値以上となった場合は、前記撮像手段が自動で記録用画像の撮影を行い、前記記録用画像と前記得点に基づいて記録用画像データを生成する記録用画像データ生成手段とを備えるゲーム装置。
【請求項３】
前記背景画像は、前記撮像手段により非記録用に撮影される動画像である請求項１または２記載のゲーム装置。
【請求項４】
前記背景画像よりも前記ゲーム画像を優先的に表示させる優先表示処理を前記背景画像データに対して施す優先表示処理部を備える請求項１ないし３いずれか１項記載のゲーム装置。
【請求項５】
前記得点と前記優先表示処理を施す際の条件である表示処理条件とを対応付けて記憶する表示処理条件記憶手段と、
前記得点が更新されたときに、前記表示処理条件記憶手段に記憶された表示処理条件から、更新された得点に対応する表示処理条件を特定する表示処理条件特定手段とを備え、
前記優先表示処理部は、前記表示処理条件特定手段により特定された表示処理条件に基づいて、前記背景画像データに対して前記優先表示処理を施す請求項４記載のゲーム装置。
【請求項６】
前記優先表示処理部は、前記背景画像の縦と横のサイズを変更するサイズ変更処理部を備える請求項４または５記載のゲーム装置。
【請求項７】
前記優先表示処理部は、前記背景画像の輝度を前記ゲーム画像の輝度よりも低くする輝度変更部を備える請求項４ないし６いずれか１項記載のゲーム装置。
【請求項８】
前記優先表示処理部は、前記背景画像をぼかすぼかし処理部を備える請求項４ないし７いずれか１項記載のゲーム装置。
【請求項９】
前記得点と、前記撮像手段の撮像素子より撮像信号が読み出される画素数を示す読出画素数とを対応付けて記憶する読出画素数記憶手段と、
前記得点が更新されたときに、前記読出画素数記憶手段に記憶された読出画素数から、更新されたゲーム情報に対応する読出画素数を特定する読出画素数特定手段とを備え、
前記読出画素数特定手段により特定された読出画素数分の撮像信号が、前記撮像素子から読み出される請求項１ないし８いずれか１項記載のゲーム装置。
【請求項１０】
ゲームのクリア時における読出画素数は、ゲーム開始からゲームのクリアまでにおける読出画素数よりも多い請求項９記載のゲーム装置。
【請求項１１】
撮像手段により被写体を撮像するステップと、
ゲームの内容を表すゲーム画像のゲーム画像データを、ゲーム画像生成手段により生成するステップと、
前記撮像手段によって得られる画像に基づいて、前記ゲーム画像の背景となる背景画像の背景画像データを生成する処理を、背景画像生成手段により行うステップと、
前記撮像手段によって得られる画像に基づいて、ゲームクリア時に表示手段に表示するクリア画像のクリア画像データを生成する処理を、クリア画像生成手段により行うステップと、
前記背景画像データを背景画像更新手段により更新するステップと、
前記表示手段に表示する得点を、ゲームの進行に伴って得点更新手段により更新するステップと、
ゲーム実行中に、前記ゲーム画像データと前記背景画像更新手段によって更新される前記背景画像データとに基づいて、最新の背景画像に前記ゲーム画像を重ねて前記表示手段に表示させるための処理を、第１表示制御手段によって行うステップと、
ゲームクリア時に、前記クリア画像データと前記得点に基づいて前記クリア画像に前記得点を重ねて前記表示手段に表示させるための処理を、第２表示制御手段によって行うステップとを有するゲーム方法。
【請求項１２】
被写体を撮像手段により撮像するステップと、
ゲームの内容を表すゲーム画像のゲーム画像データを、ゲーム画像生成手段により生成するステップと、
前記撮像手段によって得られる画像に基づいて、前記ゲーム画像の背景となる背景画像の背景画像データを生成する処理を、背景画像生成手段により行うステップと、
前記背景画像データを背景画像更新手段により更新するステップと、
表示手段に表示する得点を、ゲームの進行に伴って得点更新手段により更新するステップと、
ゲーム実行中に、前記ゲーム画像データと前記背景画像更新手段によって更新される前記背景画像データとに基づいて、最新の背景画像に前記ゲーム画像を重ねて前記表示手段に表示させるための処理を、第１表示制御手段により行うステップと、
前記得点更新手段により更新される得点が所定の条件を満たす値以上となった場合に、前記撮像手段が自動で記録用画像の撮影を行い、前記記録用画像と前記得点に基づいて記録用画像データを生成する処理を、記録用画像データ生成手段により行うステップとを有するゲーム方法。
【請求項１３】
被写体を撮像する撮像手段及び画像を表示する表示手段を備えるゲーム装置にインストールされるゲームプログラムであって、
コンピュータを、
ゲームの内容を表すゲーム画像のゲーム画像データを生成するゲーム画像生成手段、
前記撮像手段により得られる画像に基づいて、前記ゲーム画像の背景となる背景画像の背景画像データを生成する背景画像生成手段、
前記撮像手段により得られる画像に基づいて、ゲームクリア時に前記表示手段に表示するクリア画像のクリア画像データを生成するクリア画像生成手段、
前記背景画像データを更新する背景画像更新手段、
前記表示手段に表示する得点を、ゲームの進行に伴って更新する得点更新手段、
ゲーム実行中に、前記ゲーム画像データと、前記背景画像更新手段によって更新される前記背景画像データとに基づいて、最新の背景画像に前記ゲーム画像を重ねて前記表示手段に表示させるための第１表示制御手段、及び
ゲームクリア時には、前記クリア画像データと前記得点に基づいて前記クリア画像に前記得点を重ねて前記表示手段に表示させるための第２表示制御手段として機能させるためのゲームプログラム。
【請求項１４】
被写体を撮像する撮像手段及び画像を表示する表示手段を備えるゲーム装置にインストールされるゲームプログラムであって、
コンピュータを、
ゲームの内容を表すゲーム画像のゲーム画像データを生成するゲーム画像生成手段、
前記撮像手段により得られる画像に基づいて、前記ゲーム画像の背景となる背景画像の背景画像データを生成する背景画像生成手段、
前記背景画像データを更新する背景画像更新手段、
前記表示手段に表示する得点を、ゲームの進行に伴って更新する得点更新手段、
ゲーム実行中に、前記ゲーム画像データと、前記背景画像更新手段によって更新される前記背景画像データとに基づいて、最新の背景画像に前記ゲーム画像を重ねて前記表示手段に表示させるための第１表示制御手段、及び
前記得点更新手段により更新される得点が所定の条件を満たす値以上となった場合は、前記撮像手段が自動で記録用画像の撮影を行い、前記記録用画像と前記得点に基づいて記録用画像データを生成する記録用画像データ生成手段として機能させるためのゲームプログラム。
【手続補正２】
【補正対象書類名】明細書
【補正対象項目名】発明の名称
【補正方法】変更
【補正の内容】
【発明の名称】ゲーム装置、ゲーム方法、及びゲームプログラム
【手続補正３】
【補正対象書類名】明細書
【補正対象項目名】０００７
【補正方法】変更
【補正の内容】
【０００７】
上記課題を解決するために、本発明のゲーム装置は、被写体を撮像する撮像手段と、画像を表示する表示手段と、ゲームの内容を表すゲーム画像のゲーム画像データを生成するゲーム画像生成手段と、前記撮像手段によって得られる画像に基づいて、前記ゲーム画像の背景となる背景画像の背景画像データを生成する背景画像生成手段と、前記撮像手段により得られる画像に基づいて、ゲームクリア時に前記表示手段に表示するクリア画像のクリア画像データを生成するクリア画像生成手段と、前記背景画像データを更新する背景画像更新手段と、ゲームの進行に伴って、前記表示手段に表示する得点を更新する得点更新手段と、ゲーム実行中に、前記ゲーム画像データと、前記背景画像更新手段によって更新される前記背景画像データとに基づいて、最新の背景画像に前記ゲーム画像を重ねて前記表示手段に表示させるための第１表示制御手段と、ゲームクリア時には、前記クリア画像データと前記得点に基づいて前記クリア画像に前記得点を重ねて前記表示手段に表示させるための第２表示制御手段とを備える。また、本発明のゲーム装置は、被写体を撮像する撮像手段と、画像を表示する表示手段と、ゲームの内容を表すゲーム画像のゲーム画像データを生成するゲーム画像生成手段と、前記撮像手段により得られる画像に基づいて、前記ゲーム画像の背景となる背景画像の背景画像データを生成する背景画像生成手段と、前記背景画像データを更新する背景画像更新手段と、ゲームの進行に伴って、前記表示手段に表示する得点を更新する得点更新手段と、ゲーム実行中に、前記ゲーム画像データと、前記背景画像更新手段によって更新される前記背景画像データとに基づいて、最新の背景画像に前記ゲーム画像を重ねて前記表示手段に表示するための第１表示制御手段と、前記得点更新手段により更新される得点が所定の条件を満たす値以上となった場合は、前記撮像手段が自動で記録用画像の撮影を行い、前記記録用画像と前記得点に基づいて記録用画像データを生成する記録用画像データ生成手段とを備える。また、本発明のゲーム方法は、撮像手段により被写体を撮像するステップと、ゲームの内容を表すゲーム画像のゲーム画像データを、ゲーム画像生成手段により生成するステップと、前記撮像手段によって得られる画像に基づいて、前記ゲーム画像の背景となる背景画像の背景画像データを生成する処理を、背景画像生成手段により行うステップと、前記撮像手段によって得られる画像に基づいて、ゲームクリア時に表示手段に表示するクリア画像のクリア画像データを生成する処理を、クリア画像生成手段により行うステップと、前記背景画像データを背景画像更新手段により更新するステップと、前記表示手段に表示する得点を、ゲームの進行に伴って得点更新手段により更新するステップと、ゲーム実行中に、前記ゲーム画像データと前記背景画像更新手段によって更新される前記背景画像データとに基づいて、最新の背景画像に前記ゲーム画像を重ねて前記表示手段に表示させるための処理を、第１表示制御手段によって行うステップと、ゲームクリア時に、前記クリア画像データと前記得点に基づいて前記クリア画像に前記得点を重ねて前記表示手段に表示させるための処理を、第２表示制御手段によって行うステップとを有する。また、本発明のゲーム方法は、被写体を撮像手段により撮像するステップと、ゲームの内容を表すゲーム画像のゲーム画像データを、ゲーム画像生成手段により生成するステップと、前記撮像手段によって得られる画像に基づいて、前記ゲーム画像の背景となる背景画像の背景画像データを生成する処理を、背景画像生成手段により行うステップと、前記背景画像データを背景画像更新手段により更新するステップと、表示手段に表示する得点を、ゲームの進行に伴って得点更新手段により更新するステップと、ゲーム実行中に、前記ゲーム画像データと前記背景画像更新手段によって更新される前記背景画像データとに基づいて、最新の背景画像に前記ゲーム画像を重ねて前記表示手段に表示させるための処理を、第１表示制御手段により行うステップと、前記得点更新手段により更新される得点が所定の条件を満たす値以上となった場合に、前記撮像手段が自動で記録用画像の撮影を行い、前記記録用画像と前記得点に基づいて記録用画像データを生成する処理を、記録用画像データ生成手段により行うステップとを有する。また、本発明は、被写体を撮像する撮像手段及び画像を表示する表示手段を備えるゲーム装置にインストールされるゲームプログラムであって、コンピュータを、ゲームの内容を表すゲーム画像のゲーム画像データを生成するゲーム画像生成手段、前記撮像手段により得られる画像に基づいて、前記ゲーム画像の背景となる背景画像の背景画像データを生成する背景画像生成手段、前記撮像手段により得られる画像に基づいて、ゲームクリア時に前記表示手段に表示するクリア画像のクリア画像データを生成するクリア画像生成手段、前記背景画像データを更新する背景画像更新手段、前記表示手段に表示する得点を、ゲームの進行に伴って更新する得点更新手段、ゲーム実行中に、前記ゲーム画像データと、前記背景画像更新手段によって更新される前記背景画像データとに基づいて、最新の背景画像に前記ゲーム画像を重ねて前記表示手段に表示させるための第１表示制御手段、及びゲームクリア時には、前記クリア画像データと前記得点に基づいて前記クリア画像に前記得点を重ねて前記表示手段に表示させるための第２表示制御手段として機能させる。また、本発明は、被写体を撮像する撮像手段及び画像を表示する表示手段を備えるゲーム装置にインストールされるゲームプログラムであって、コンピュータを、ゲームの内容を表すゲーム画像のゲーム画像データを生成するゲーム画像生成手段、前記撮像手段により得られる画像に基づいて、前記ゲーム画像の背景となる背景画像の背景画像データを生成する背景画像生成手段、前記背景画像データを更新する背景画像更新手段、前記表示手段に表示する得点を、ゲームの進行に伴って更新する得点更新手段、ゲーム実行中に、前記ゲーム画像データと、前記背景画像更新手段によって更新される前記背景画像データとに基づいて、最新の背景画像に前記ゲーム画像を重ねて前記表示手段に表示させるための第１表示制御手段、及び前記得点更新手段により更新される得点が所定の条件を満たす値以上となった場合は、前記撮像手段が自動で記録用画像の撮影を行い、前記記録用画像と前記得点に基づいて記録用画像データを生成する記録用画像データ生成手段として機能させる。
【手続補正４】
【補正対象書類名】明細書
【補正対象項目名】０００８
【補正方法】変更
【補正の内容】
【０００８】
前記背景画像よりも前記ゲーム画像を優先的に表示させる優先表示処理を前記背景画像データに対して施す優先表示処理部を備えることが好ましい。前記得点と前記優先表示処理を施す際の条件である表示処理条件とを対応付けて記憶する表示処理条件記憶手段と、前記得点が更新されたときに、前記表示処理条件記憶手段に記憶された表示処理条件から、更新された得点に対応する表示処理条件を特定する表示処理条件特定手段とを備え、前記優先表示処理部は、前記表示処理条件特定手段により特定された表示処理条件に基づいて、前記背景画像データに対して前記優先表示処理を施すことが好ましい。
【手続補正５】
【補正対象書類名】明細書
【補正対象項目名】００１０
【補正方法】変更
【補正の内容】
【００１０】
前記得点と、前記撮像手段の撮像素子より撮像信号が読み出される画素数を示す読出画素数とを対応付けて記憶する読出画素数記憶手段と、前記得点が更新されたときに、前記読出画素数記憶手段に記憶された読出画素数から、更新されたゲーム情報に対応する読出画素数を特定する読出画素数特定手段とを備え、前記読出画素数特定手段により特定された読出画素数分の撮像信号が、前記撮像素子から読み出されることが好ましい。ゲームのクリア時における読出画素数は、ゲーム開始からゲームのクリアまでにおける読出画素数よりも多いことが好ましい。